(57)【要約】      （修正有）【課題】キッズバレーのコートの設置作業の際に、バレーボール用アンテナの設置が容易となるバレーボールアンテナ取付具を提供する。【解決手段】バレーボールアンテナ取付具は、ネット４の縦方向の長さと同じ長さのアンテナ収納部２、アンテナ収納部２に続くコートライン対応帯３を有し、コートライン対応帯３の上下端部４１、４２及び中間部に、面ファスナーによるネット４への取付片３１を取り付けたことを特徴とする。【選択図】図１
0003201292.tif 000002
【実用新案登録請求の範囲】
【請求項１】
ネットの縦方向の長さに対応したアンテナ収納部と、該アンテナ収納部に続くコートライン対応帯を有し、該コートライン対応帯の幅はコートラインと同じ幅であり、該コートライン対応帯の上下端部及び中間部に、面ファスナーによるネットへの取付片を取り付けたことを特徴とする、バレーボールアンテナ取付具。
【考案の詳細な説明】
【技術分野】
【０００１】
本考案は、バレーボールアンテナ取付具に関し、詳細にはバレーボールを行う際に、ネットに取り付けるバレーボールアンテナ取付具に関する。
【背景技術】
【０００２】
ネットに取り付けるバレーボールアンテナ取付具として、特許文献１に記載のものが知られている。
【０００３】
該特許文献１に記載のバレーボール用アンテナの下縁狭持装置は、国際バレーボール連盟のルール改正により、追加されたバレーボール用ネットのネット下部帯に、バレーボール用アンテナを狭持できるようにしたものであり、下部ネットホルダー１４と可動子１２とアンテナ軸１０とを有し、該下部ネットホルダー１４は、該ネット下部帯６の下端に当接する当接面を有する基部１６と、該アンテナ軸１０と所定間隔を置いて該基部１６の当接面から立設する狭持壁部１５とを有し、該可動子１２は、傾斜面を有し、該傾斜面は、上方に行くにつれて該アンテナ軸から離れるように傾斜すると共に、該狭持壁部１５の内面と対向し、該下部ネットホルダー１４の該基部１６が、該アンテナ軸１０の下端近傍に固定され、該可動子１２が、該アンテナ軸１０に沿って移動可能かつ所定範囲内において任意の位置に停止可能なものである。
【０００４】
なお、２０１５年１０月に公式な大会が始めて開催されるキッズバレーの使用に適した、バレーボールアンテナ取付具は存在しない。
【考案の概要】
【考案が解決しようとする課題】
【０００５】
キッズバレーのコートを設置する際であっても、バレーボールアンテナの設置が義務付けられているため、例えば、特許文献１に記載の装置を用いた場合には、気軽にキッズバレーのためのバレーボールアンテナの設置ができない。
そのため、例えば、キッズバレーのコートの設置作業の際に、バレーボール用アンテナの設置が容易となるバレーボールアンテナの取付具が望まれていた。
【課題を解決するための手段】
【０００６】
本考案の課題を解決するための手段は、下記のとおりである。
【０００７】
第１に、
ネットの縦方向の長さに対応したアンテナ収納部と、該アンテナ収納部に続くコートライン対応帯を有し、該コートライン対応帯の幅はコートラインと同じ幅であり、該コートライン対応帯の上下端部及び中間部に、面ファスナーによるネットへの取付片を取り付けたことを特徴とする、バレーボールアンテナ取付具。
第２に、
ネット上端部及び下端部において、紐やワイヤー等の引張材を収納する帯材に、面ファスナーによる取付面部を形成したことを特徴とする、上記第１または第２に記載のバレーボールアンテナ取付具との組み合わせ用のネット。
【考案の効果】
【０００８】
本考案によれば以下の効果を奏することができる。
【０００９】
設置の際には、コートライン対応帯を、床面に張られたラインテープに合わせることによって、アンテナの垂直出しを容易に行うことができる。
この際、面ファスナーによって、ネットの上下端の部分を挟み込んだ状態で固定する。
従って、キッズバレーのコートの設置作業の際に、バレーボール用アンテナの設置が容易となる。
【００１０】
ここで、コートライン対応帯の中間部に、面ファスナーによる取付片を取り付けたものは、上下端だけでなく、中間部においてもネットの一部を挟み込んだまま固定するので、強固にバレーボールアンテナを取り付けることができる。
さらに、引張材を収納する帯材に、面ファスナーによる取付面部を形成したネットを用いることで、帯材部分においても面ファスナーにより位置がずれなくなるので、より強固に固定することが可能となる。
【図面の簡単な説明】
【００１１】
【図１】本考案のバレーボールアンテナ取付具の使用状態を示す説明図である。
【図２】本考案のバレーボールアンテナ取付具を各側面側から見た説明図であり、図中（ｂ）を正面図とすると、（ｄ）は背面図、（ｃ）は右側面図、（ａ）は左側面図を示す。
【図３】本考案のバレーボールアンテナ取付具の上端側における取付状態を示す説明図であり、図中（ａ）は取付片を開いた状態を示し、（ｂ）は取付片を閉じてネットの上端部を挟み込んだ状態を示す。
【図４】本考案のバレーボールアンテナ取付具の上端側における取付状態を示す斜視図である。
【図５】本考案のバレーボールアンテナ取付具のコートでの使用状態を示す説明図である。
【考案を実施するための形態】
【００１２】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１３】
本実施形態に係るキッズバレー用のバレーボールアンテナ取付具は、バレーボールアンテナ１を収納することが可能な深い穴状部分である、ネット４の高さに対応したアンテナ収納部２と、該アンテナ収納部２に続くコートライン対応帯３とを有している。
該アンテナ収納部２とコートライン対応帯３は、ネット４の縦方向の長さとほぼ同じ長さの１枚の細長いテープ素材を、長手方向に沿った中央線で折り重ね、残りの３辺をミシンで縫い合わせる際に、上端片においてバレーボールアンテナ１が収納可能な部分を残しつつ、更に、上端片から下端片に向けて長手方向をミシンで縫い合わせることで形成したものである。
【００１４】
ここで、キッズバレーに用いるバレーボールアンテナ１は、サイドライン外端から０．２メートル離して、ネットの上部から０．６メートル突出するように設置されるものであり、直径１センチメートル、長さ１．３メートルである。
該バレーボールアンテナ１は、弾力性のあるファイバー素材で形成され、０．１メートル毎に赤と白とで色分けされたものである。
【００１５】
また、コートライン対応帯３の幅は、コートラインと同じ幅であり、例えば、４センチメートルである。
【００１６】
該コートライン対応帯３の上下端部及び中間部には、面ファスナーによるネット４への取付片３１が各々取り付けられている。
【００１７】
さらに、ネット４の上端部４１及び下端部４２において、紐やワイヤー等の引張材を収納する帯材には、面ファスナーによる取付面部４１ａ、４１ｂが各々形成されている。
【００１８】
次に、上記のバレーボールアンテナ取付具の設置手順について説明する。
【００１９】
まず、バレーボールアンテナ１をアンテナ収納部２に収納し、サイドライン外端から０．２メートル離した位置に仮に合わせ、図５に示すコートラインと、コートライン対応帯３とが重なるように位置を微調整する。
このように、コートラインをガイドライトンとして利用することで、バレーボールアンテナ１を垂直に設置することが容易に可能となる。
【００２０】
その後、位置の固定は、各面ファスナーによって、ネットの上端部４１における取付面部４１ａや下端部における取付面部４１ｂの他に、中間部においてネットを挟み込むことによって確実に行われる。
その結果、プレー中にボールがネットやバレーボールアンテナ１にバレーボールが衝突しても、該バレーボールアンテナ１の位置がずれることがない。
【符号の説明】
【００２１】
１  バレーボールアンテナ
２  アンテナ収納部
３  コートライン対応帯部
３１  取付片
４  ネット
４１  上端部
４１ａ  取付面部
４２  下端部
４２ａ  取付面部
【先行技術文献】
【特許文献】
【００２２】
【特許文献１】特開２００５−１３２５７号公報
【図１】
0003201292.tif 000003
【図２】
0003201292.tif 000004
【図３】
0003201292.tif 000005
【図４】
0003201292.tif 000006
【図５】
0003201292.tif 000007